(57)【要約】【課題】複数に分割された表示画面の各分割領域がフォーカスされているか否かをユーザが意識することなく、所望の分割領域に容易に操作画面を表示させることが可能な画面分割表示装置、それを備えた測定装置、及び画面分割表示方法を提供する。【解決手段】制御部は、操作部への操作に応じて複数の測定モジュールの中から操作画面２１を呼び出すべき測定モジュールを選択するためのスロットキー２２を表示画面２０に表示制御し、複数の分割領域の中からスロットキー２２により選択された測定モジュールの操作画面２１を表示させる分割領域を、操作部への操作に応じて選択するための分割領域選択ウィンドウ２６を表示画面２０に表示制御し、分割領域選択ウィンドウ２６により選択された分割領域に、スロットキー２２により選択された測定モジュールの操作画面２１を表示制御する。【選択図】図５
2018128814.tif 000002
【特許請求の範囲】
【請求項１】
測定装置（１００，１１０，１２０）が有する複数の測定モジュール（Ｍ）にそれぞれ対応した操作画面（２１）を表示可能な複数の分割領域を有する表示部（１２）と、前記表示部の表示内容を制御する表示制御部（１３）と、前記表示部に表示された表示内容に対する操作を受け付ける操作部（１４）と、を備える画面分割表示装置（１０）であって、
前記表示制御部は、
前記操作部への操作に応じて前記複数の測定モジュールの中から前記操作画面を呼び出すべき測定モジュールを選択するための測定モジュール選択手段（２２）を前記表示部に表示制御し、
前記複数の分割領域の中から前記測定モジュール選択手段により選択された前記測定モジュールの前記操作画面を表示させる分割領域を、前記操作部への操作に応じて選択するための分割領域選択手段（２６）を前記表示部に表示制御し、
前記分割領域選択手段により選択された前記分割領域に、前記測定モジュール選択手段により選択された前記測定モジュールの前記操作画面を表示制御することを特徴とする画面分割表示装置。
【請求項２】
前記操作画面は、各前記測定モジュールに入力される電気信号を測定するため、又は、各前記測定モジュールから所望の電気信号を出力するために必要な測定パラメータを設定するための画面を含むことを特徴とする請求項１に記載の画面分割表示装置。
【請求項３】
前記操作部は、前記表示部の表示画面（２０）の表面に設けられたタッチパネルで構成されることを特徴とする請求項１又は請求項２に記載の画面分割表示装置。
【請求項４】
請求項１から請求項３のいずれか一項に記載の画面分割表示装置と、
複数の測定モジュールを実装するための複数のスロット（ＳＬ１〜ＳＬｎ）と、を備えることを特徴とする測定装置。
【請求項５】
前記複数の測定モジュールのうちの少なくとも２つは、被試験対象（２００）にパルスパターンを出力するパルスパターン発生器（１６）と、前記パルスパターン発生器からの前記パルスパターンの入力に伴って前記被試験対象から出力される被測定信号と前記パルスパターンとを比較して、前記被測定信号の誤りを検出する誤り検出器（１７）であることを特徴とする請求項４に記載の測定装置。
【請求項６】
前記複数の測定モジュールのうちの少なくとも２つは、被試験対象（２００）に試験信号を出力する信号発生器（４１）と、前記信号発生器からの前記試験信号の入力に伴って前記被試験対象から出力される被測定信号を解析する信号解析装置（４２）であることを特徴とする請求項４に記載の測定装置。
【請求項７】
測定装置（１００，１１０，１２０）が有する複数の測定モジュール（Ｍ）にそれぞれ対応した操作画面（２１）を表示可能な複数の分割領域を有する表示部（１２）と、前記表示部の表示内容を制御する表示制御部（１３）と、前記表示部に表示された表示内容に対する操作を受け付ける操作部（１４）と、を備える画面分割表示装置（１０）を用いる画面分割表示方法であって、
前記操作部への操作に応じて前記複数の測定モジュールの中から前記操作画面を呼び出すべき測定モジュールを選択するための測定モジュール選択手段（２２）を前記表示部に表示制御する第１の表示制御ステップ（Ｓ１）と、
前記操作部への操作に応じて前記複数の分割領域の中から、前記測定モジュール選択手段により選択された前記測定モジュールの前記操作画面を表示させる分割領域を選択するための分割領域選択手段（２６）を前記表示部に表示制御する第２の表示制御ステップ（Ｓ３）と、
前記分割領域選択手段により選択された前記分割領域に、前記測定モジュール選択手段により選択された前記測定モジュールの前記操作画面を表示制御する第３の表示制御ステップ（Ｓ６）と、を含むことを特徴とする画面分割表示方法。
【発明の詳細な説明】
【技術分野】
【０００１】
本発明は、画面分割表示装置、それを備えた測定装置、及び画面分割表示方法に関し、特に、測定装置が有する複数の測定モジュールにそれぞれ対応した操作画面を表示するための画面分割表示装置、それを備えた測定装置、及び画面分割表示方法に関する。
【背景技術】
【０００２】
近年、通信システムは高速化の一途をたどっており、通信システムを構成する電子機器や通信機器の高性能化が進んでいる。このような高速の通信システムに対応した機器の品質評価に際しては、擬似ランダムビット系列などのパルスパターンを用いた誤り検出装置による試験が広く行われている。
【０００３】
誤り検出装置は、パルスパターンを被試験対象（Device Under Test：ＤＵＴ）となる機器に送信し、送信したパルスパターンとＤＵＴから返送されたパルスパターンとを比較してビットの誤りを検出する装置である（例えば、特許文献１参照）。
【０００４】
上記のような従来の誤り検出装置は、パルスパターン発生器のモジュールと誤り検出器のモジュールとをそれぞれ複数備えており、それらをマルチプレクサやデマルチプレクサと組み合わせることで、高ビットレートのパルスパターンによる誤り検出を実行することが可能になっている。
【０００５】
また、従来の誤り検出装置においては、複数のモジュールごとに測定パラメータの設定などを行うための操作画面が用意されている。これらの操作画面は、表示装置の表示画面に１画面表示されるだけでなく、表示画面の複数に分割された分割領域のうちのいずれかに表示させることも可能である。表示画面が複数に分割されている状態では、新規の操作画面は、現在フォーカスされていない分割領域に表示されるようになっている。
【先行技術文献】
【特許文献】
【０００６】
【特許文献１】特開２０１４−６８１７９号公報
【発明の概要】
【発明が解決しようとする課題】
【０００７】
しかしながら、特許文献１に開示されたような従来の誤り検出装置においては、各分割領域がフォーカスされているか否かをユーザが判別することが難しかった。このため、既にパルスパターン発生器の操作画面が表示されている状態で、誤り検出器の操作画面を表示させたい場合に、次に述べるような問題が起こり得る。例えば、パルスパターン発生器の操作画面がフォーカスされていない場合には、パルスパターン発生器の操作画面が表示されていた分割領域に誤り検出器の操作画面が表示されてしまい、パルスパターン発生器と誤り検出器の操作画面を同時に表示できなくなるという問題があった。
【０００８】
本発明は、このような従来の課題を解決するためになされたものであって、複数に分割された表示画面の各分割領域がフォーカスされているか否かをユーザに意識させることなく、所望の分割領域に容易に測定モジュールごとの操作画面を表示させることが可能な画面分割表示装置、それを備えた測定装置、及び画面分割表示方法を提供することを目的とする。
【課題を解決するための手段】
【０００９】
上記課題を解決するために、本発明に係る画面分割表示装置は、測定装置が有する複数の測定モジュールにそれぞれ対応した操作画面を表示可能な複数の分割領域を有する表示部と、前記表示部の表示内容を制御する表示制御部と、前記表示部に表示された表示内容に対する操作を受け付ける操作部と、を備える画面分割表示装置であって、前記表示制御部は、前記操作部への操作に応じて前記複数の測定モジュールの中から前記操作画面を呼び出すべき測定モジュールを選択するための測定モジュール選択手段を前記表示部に表示制御し、前記複数の分割領域の中から前記測定モジュール選択手段により選択された前記測定モジュールの前記操作画面を表示させる分割領域を、前記操作部への操作に応じて選択するための分割領域選択手段を前記表示部に表示制御し、前記分割領域選択手段により選択された前記分割領域に、前記測定モジュール選択手段により選択された前記測定モジュールの前記操作画面を表示制御する構成である。
【００１０】
この構成により、本発明に係る画面分割表示装置は、実際に測定モジュールごとの操作画面の表示を行う前に、分割領域選択手段により表示画面の分割と操作画面を表示させる分割領域の指定を行うことができる。このため、本発明に係る画面分割表示装置は、複数に分割された表示画面の各分割領域がフォーカスされているか否かをユーザに意識させることなく、所望の分割領域に容易に測定モジュールごとの操作画面を表示させることができる。
【００１１】
また、本発明に係る画面分割表示装置においては、前記操作画面は、各前記測定モジュールに入力される電気信号を測定するため、又は、各前記測定モジュールから所望の電気信号を出力するために必要な測定パラメータを設定するための画面を含む構成であってもよい。
【００１２】
この構成により、本発明に係る画面分割表示装置は、測定装置が有する複数の測定モジュールごとに、測定パラメータを設定することができる。
【００１３】
また、本発明に係る画面分割表示装置においては、前記操作部は、前記表示部の表示画面の表面に設けられたタッチパネルで構成されていてもよい。
【００１４】
この構成により、本発明に係る画面分割表示装置は、装置の小型化を図れるとともに、良好な操作性を得ることができる。
【００１５】
上記課題を解決するために、本発明に係る測定装置は、上記のいずれかの画面分割表示装置と、複数の測定モジュールを実装するための複数のスロットと、を備える構成である。
【００１６】
この構成により、本発明に係る測定装置は、測定試験に応じて、測定モジュールを適宜組み合わせて実装することを可能にする。
【００１７】
また、本発明に係る測定装置においては、前記複数の測定モジュールのうちの少なくとも２つは、被試験対象にパルスパターンを出力するパルスパターン発生器と、前記パルスパターン発生器からの前記パルスパターンの入力に伴って前記被試験対象から出力される被測定信号と前記パルスパターンとを比較して、前記被測定信号の誤りを検出する誤り検出器であってもよい。
【００１８】
この構成により、本発明に係る測定装置は、被試験対象から出力される被測定信号に対して誤り率測定を実行することができる。
【００１９】
また、本発明に係る測定装置においては、前記複数の測定モジュールのうちの少なくとも２つは、被試験対象に試験信号を出力する信号発生器と、前記信号発生器からの前記試験信号の入力に伴って前記被試験対象から出力される被測定信号を解析する信号解析装置であってもよい。
【００２０】
この構成により、本発明に係る測定装置は、被試験対象から出力される被測定信号に対して、品質評価を実行することができる。
【００２１】
上記課題を解決するために、本発明に係る画面分割表示方法は、測定装置が有する複数の測定モジュールにそれぞれ対応した操作画面を表示可能な複数の分割領域を有する表示部と、前記表示部の表示内容を制御する表示制御部と、前記表示部に表示された表示内容に対する操作を受け付ける操作部と、を備える画面分割表示装置を用いる画面分割表示方法であって、前記操作部への操作に応じて前記複数の測定モジュールの中から前記操作画面を呼び出すべき測定モジュールを選択するための測定モジュール選択手段を前記表示部に表示制御する第１の表示制御ステップと、前記操作部への操作に応じて前記複数の分割領域の中から、前記測定モジュール選択手段により選択された前記測定モジュールの前記操作画面を表示させる分割領域を選択するための分割領域選択手段を前記表示部に表示制御する第２の表示制御ステップと、前記分割領域選択手段により選択された前記分割領域に、前記測定モジュール選択手段により選択された前記測定モジュールの前記操作画面を表示制御する第３の表示制御ステップと、を含む。
【００２２】
この構成により、本発明に係る画面分割表示方法は、実際に測定モジュールごとの操作画面の表示を行う前に、分割領域選択手段により表示画面の分割と操作画面を表示させる分割領域の指定を行うことができる。このため、本発明に係る画面分割表示方法は、複数に分割された表示画面の各分割領域がフォーカスされているか否かをユーザに意識させることなく、所望の分割領域に容易に測定モジュールごとの操作画面を表示させることができる。
【発明の効果】
【００２３】
本発明は、複数に分割された表示画面の各分割領域がフォーカスされているか否かをユーザに意識させることなく、所望の分割領域に容易に測定モジュールごとの操作画面を表示させることが可能な画面分割表示装置、それを備えた測定装置、及び画面分割表示方法を提供するものである。
【図面の簡単な説明】
【００２４】
【図１】本発明の一実施形態に係る画面分割表示装置の構成を示すブロック図である。
【図２】本発明の一実施形態に係る誤り検出装置の構成を示すブロック図である。
【図３】スロットキーが押下されて分割領域選択ウィンドウが表示されたときの表示部の表示例（その１）である。
【図４】分割領域選択ウィンドウが操作されて操作画面が表示されたときの表示部の表示例（その１）である。
【図５】スロットキーが押下されて分割領域選択ウィンドウが表示されたときの表示部の表示例（その２）である。
【図６】分割領域選択ウィンドウが操作されて操作画面が表示されたときの表示部の表示例（その２）である。
【図７】本発明の一実施形態に係る無線端末測定装置の構成を示すブロック図である。
【図８】本発明の一実施形態に係る画面分割表示装置による画面分割表示方法の処理を示すフローチャートである。
【発明を実施するための形態】
【００２５】
以下、本発明に係る画面分割表示装置、それを備えた測定装置、及び画面分割表示方法の実施形態について、図面を用いて説明する。
【００２６】
図１に示すように、本実施形態に係る画面分割表示装置１０は、測定装置１００に備えられている。画面分割表示装置１０は、測定装置１００の測定部１１が有する複数の測定モジュールＭ（Ｍａ〜Ｍｄ）にそれぞれ対応した操作画面を表示可能な複数の分割領域を有する表示部１２と、表示部１２の表示内容を制御する表示制御部としての制御部１３と、表示部１２に表示された表示内容に対する操作を受け付ける操作部１４と、を備える。
【００２７】
表示部１２は、例えばＬＣＤやＣＲＴなどの表示機器で構成され、制御部１３からの制御信号に応じて、各測定モジュールＭに対応した設定項目や測定結果などの各種表示内容を表示するようになっている。さらに、表示部１２は、設定項目のパラメータなどを設定するためのボタン、ソフトキー、プルダウンメニュー、テキストボックスなどの操作対象を表示するものであってもよい。
【００２８】
制御部１３は、例えばＣＰＵ、ＲＯＭ、ＲＡＭ、ＨＤＤなどを含むマイクロコンピュータで構成され、測定装置１００を構成する上記各部の動作を制御するようになっている。
【００２９】
操作部１４は、ユーザによる操作入力を行うためのものであり、例えば表示部１２の表示画面の表面に設けられたタッチパネルで構成される。あるいは、操作部１４は、キーボード又はマウスのような入力デバイスを含んで構成されてもよい。
【００３０】
測定装置１００は、その筐体に複数の測定モジュールＭを実装するための複数のスロットＳＬ１〜ＳＬｎが設けられている。複数の測定モジュールＭは、各スロットＳＬ１〜ＳＬｎと着脱可能に構成されている。なお、図１には複数のスロットの個数ｎが８である例を示しているが、本発明はこれに限定されず、スロットの個数ｎは２以上の整数であればよい。また、図１には８つのスロットＳＬ１〜ＳＬ８に実装された測定モジュールＭの個数が４である例を示しているが、本発明はこれに限定されず、複数のスロットに実装される測定モジュールの個数は２以上であればよい。
【００３１】
例えば図１において、スロットＳＬ２に実装された測定モジュールＭａはジッタ変調源（Ｊｉｔｔｅｒ）１５、スロットＳＬ３に実装された測定モジュールＭｂはパルスパターン発生器（ＰＰＧ）１６、スロットＳＬ４に実装された測定モジュールＭｃは誤り検出器（ＥＤ）１７、スロットＳＬ５に実装された測定モジュールＭｄはシンセサイザ（Ｓｙｎｔｈｅ）１８である。残りのスロットＳＬ１，ＳＬ５，ＳＬ７，ＳＬ８が空となっている。これらの測定モジュールＭにより、図２に示すような誤り検出装置１１０が構成される。
【００３２】
ＤＵＴ２００は、パルスパターン発生器１６からの試験信号の入力に伴ってＤＵＴ２００から出力される被測定信号を、誤り検出器１７に出力するように配置される。ＤＵＴ２００が対応する規格の例としては、PCI Express（登録商標）、ＵＳＢ（登録商標）、ＣＥＩ（Common Electrical Interface）、Ethernet（登録商標）、InfiniBandなどが挙げられる。
【００３３】
ジッタ変調源１５は、シンセサイザ１８が生成するクロックに所望のジッタを付加してジッタクロックを発生させるようになっている。パルスパターン発生器１６は、ジッタ変調源１５から入力されたジッタクロックを用いて、２ｎ−１のビット周期を有する擬似ランダムビット系列などのパルスパターンを発生させ、発生させたパルスパターンを試験信号としてＤＵＴ２００に出力するようになっている。
【００３４】
誤り検出器１７は、ＤＵＴ２００からの被測定信号と試験信号とを比較して、被測定信号のビット誤り率を検出するようになっている。
【００３５】
なお、パルスパターン発生器１６及び誤り検出器１７をそれぞれスロットＳＬ１〜ＳＬｎに複数個実装して、それらをマルチプレクサやデマルチプレクサと組み合わせることにより、更に高ビットレートでの誤り検出を実行することも可能である。
【００３６】
図３及び図４等に示すように、制御部１３は、ユーザによる操作部１４への操作に応じて、複数のスロットＳＬ１〜ＳＬｎのいずれかに実装された複数の測定モジュールＭの中から操作画面２１を呼び出すべき測定モジュールを選択するためのスロットキー２２を、表示部１２の表示画面２０に表示制御するようになっている。ここで、スロットキー２２は測定モジュール選択手段を構成する。
【００３７】
また、図３等に示すように、制御部１３は、例えば、測定開始を指定するための測定開始ボタン２４や、測定停止を指定するための測定停止ボタン２５などを、表示部１２の所定領域に表示するようになっている。
【００３８】
操作画面２１は、例えば、測定装置１００が有する各測定モジュールＭに入力される電気信号を測定するため、又は、各測定モジュールＭから所望の電気信号を出力するために必要な測定パラメータを設定するための画面を含む。この操作画面２１は、複数の測定モジュールＭごとに用意されている。
【００３９】
スロットキー２２は、ユーザによる操作部１４への操作により押下されてオン状態となることで、対応するスロットＳＬ１〜ＳＬｎに実装された測定モジュールＭの操作画面２１を呼び出すためのキーである。さらに、オン状態のスロットキー２２が再押下されると、対応するスロットに実装された測定モジュールＭの操作画面を閉じることができるようになっていてもよい。
【００４０】
スロットキー２２のいずれかの押下状態がオンになると、制御部１３は、表示部１２の複数の分割領域の中から、スロットキー２２により選択された測定モジュールＭの操作画面２１を表示させる分割領域を操作部１４への操作に応じて選択するための分割領域選択ウィンドウ２６を表示部１２に表示制御する。ここで、分割領域選択ウィンドウ２６は分割領域選択手段を構成する。また、制御部１３は、分割領域選択ウィンドウ２６により選択された分割領域に、スロットキー２２により選択された測定モジュールＭの操作画面２１を表示制御するようになっている。
【００４１】
分割領域選択ウィンドウ２６は、表示部１２において現在表示されている操作画面２１がある場合に、その操作画面２１がどのスロットに実装された測定モジュールＭのものであるかを、分割領域ごとに簡易的に示す構成になっている。
【００４２】
なお、例えば、表示画面２０の分割領域選択ウィンドウ２６以外の箇所がユーザによる操作部１４への操作により押下されると、分割領域の選択が行われることなく分割領域選択ウィンドウ２６を閉じることが可能になっている。
【００４３】
図３は、スロットＳＬ２に測定モジュールＭとしてジッタ変調源１５が実装されており、スロットキー２２によりスロットＳＬ２が選択されたことにより、分割領域選択ウィンドウ２６が表示部１２に表示されている状況を示している。また、図３は、ユーザによる操作部１４への操作により、４分割された表示画面２０の分割領域のうちの左上の分割領域が分割領域選択ウィンドウ２６において選択される様子を示している。
【００４４】
図４は、図３に示した分割領域選択ウィンドウ２６に対する操作により選択された左上の分割領域に、ジッタ変調源１５の操作画面２１が表示されている状況を示している。
【００４５】
図５は、スロットＳＬ３に測定モジュールＭとしてパルスパターン発生器１６が実装されており、スロットキー２２によりスロットＳＬ３が選択されたことにより、分割領域選択ウィンドウ２６が表示部１２に表示されている状況を示している。また、図５は、ユーザによる操作部１４への操作により、４分割された表示画面２０の分割領域のうちの右上の分割領域が分割領域選択ウィンドウ２６において選択される様子を示している。
【００４６】
図６は、図５に示した分割領域選択ウィンドウ２６に対する操作により選択された右上の分割領域に、パルスパターン発生器１６の操作画面２１が表示されている状況を示している。
【００４７】
また、表示部１２の全ての分割領域に操作画面２１が表示されている状態で新規に操作画面２１を表示させるための処理は、例えば以下に説明するようなものになる。すなわち、制御部１３は、既に表示されているいずれかの操作画面２１が対応しているスロットキー２２が再押下されることにより、その操作画面２１が表示されている分割領域を空ける。その後、新規の操作画面２１に対応するスロットキー２２が押下されると、制御部１３は、分割領域選択ウィンドウ２６を立ち上げる。その後、ユーザによる分割領域選択ウィンドウ２６への操作により空いている分割領域が選択されると、制御部１３は、選択された分割領域に新規の操作画面２１を表示させる。
【００４８】
また、表示部１２の全ての分割領域に操作画面２１が表示されている状態で、新規の操作画面２１に対応するスロットキー２２が押下されると、制御部１３は、現在表示されている操作画面２１を幾つか閉じることをユーザに促すメッセージ等を表示部１２に表示させることが望ましい。
【００４９】
なお、表示画面２０の分割数は、図３〜図６に示した４に限らず、その他の値であってもよい。また、本実施形態の画面分割表示装置１０は、表示画面２０の分割数を任意の値に設定する手段を有するものであってもよい。
【００５０】
なお、測定装置１００は、図２に示した誤り検出装置１１０だけでなく、図７に示すような無線端末測定装置１２０であってもよい。例えば図１において、スロットＳＬ３に測定モジュールＭとして信号発生器４１が実装され、スロットＳＬ４に測定モジュールＭとして信号解析装置としてのシグナルアナライザ４２が実装される。
【００５１】
ここでのＤＵＴ２００は、例えば無線通信アンテナとＲＦ回路を有する無線端末機器である。ＤＵＴ２００の通信規格としては、セルラ（ＬＴＥ、ＬＴＥ−Ａ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、無線ＬＡＮ（ＩＥＥＥ８０２．１１ｂ／ｇ／ａ／ｎ／ａｃ／ａｄ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００５２】
信号発生器４１は、各通信規格の周波数に対応した試験信号を生成し、生成した試験信号をＤＵＴ２００に向けて出力するようになっている。
【００５３】
シグナルアナライザ４２は、信号発生器４１からの試験信号の入力に伴ってＤＵＴ２００から出力される被測定信号を解析するようになっている。例えば、シグナルアナライザ４２により、周波数、占有帯域幅、帯域内周波数特性、隣接チャネル漏洩電力、スプリアス放射等の無線信号の品質を評価するための測定を行うことができる。
【００５４】
なお、上記の試験信号は、本実施形態の無線端末測定装置１２０に対してＤＵＴ２００を呼接続状態とするなどの、ＤＵＴ２００の通信規格に対応した各種制御を行うための制御信号を含むものとする。また、上記の被測定信号は、本実施形態の無線端末測定装置１２０から出力された試験信号に対するＤＵＴ２００からの応答信号だけでなく、無線端末測定装置１２０からの試験信号とは無関係にＤＵＴ２００から出力される送信信号であってもよい。
【００５５】
なお、信号発生器４１及びシグナルアナライザ４２をそれぞれスロットＳＬ１〜ＳＬｎに複数個実装することにより、複数の試験信号をＤＵＴ２００に入力して、シグナルアナライザ４２でＤＵＴ２００から出力された複数の被測定信号を評価することも可能である。
【００５６】
以下、本実施形態の画面分割表示装置１０を用いる画面分割表示方法について、図８のフローチャートを参照しながら説明する。
【００５７】
まず、制御部１３は、複数の測定モジュールＭの中から操作画面２１を呼び出すべき測定モジュールを選択するためのスロットキー２２を含むＧＵＩ（Graphical User Interface）を表示部１２に表示制御する（第１の表示制御ステップＳ１）。
【００５８】
次に、制御部１３は、ユーザにより所望のスロットキー２２が押下されたか否かを検出する（ステップＳ２）。
【００５９】
次に、図３及び図５に示すように、制御部１３は、ステップＳ２で選択された測定モジュールＭの操作画面２１を表示させる分割領域を選択するための分割領域選択ウィンドウ２６を表示部１２に表示制御する（第２の表示制御ステップＳ３）。
【００６０】
次に、制御部１３は、ユーザにより分割領域選択ウィンドウ２６が閉じられたか否かを判断する（ステップＳ４）。否定判断の場合にはステップＳ５に進み、肯定判断の場合には処理を終了する。
【００６１】
次に、制御部１３は、ユーザにより分割領域選択ウィンドウ２６において分割領域が選択されたか否かを判断する（ステップＳ５）。否定判断の場合にはステップＳ４に戻り、肯定判断の場合にはステップＳ６に進む。
【００６２】
次に、図４及び図６に示すように、制御部１３は、分割領域選択ウィンドウ２６により選択された分割領域に、スロットキー２２により選択された測定モジュールＭの操作画面２１を表示制御する（第３の表示制御ステップＳ６）。
【００６３】
次に、制御部１３は、分割領域選択ウィンドウ２６を閉じる表示制御を行う（ステップＳ７）。
【００６４】
以上説明したように、本実施形態に係る画面分割表示装置１０は、実際に測定モジュールＭごとの操作画面２１の表示を行う前に、分割領域選択ウィンドウ２６により表示画面２０の分割と操作画面２１を表示させる分割領域の指定を行うことができる。このため、複数に分割された表示画面２０の各分割領域がフォーカスされているか否かをユーザに意識させることなく、所望の分割領域に容易に測定モジュールごとの操作画面２１を表示させることができる。
【００６５】
また、本実施形態に係る画面分割表示装置１０は、測定装置１００が有する複数の測定モジュールＭごとに、測定パラメータを設定することができる。
【００６６】
また、本実施形態に係る画面分割表示装置１０は、操作部１４を表示部１２の表示画面２０の表面に設けられたタッチパネルで構成することにより、装置の小型化を図れるとともに、良好な操作性を得ることができる。
【００６７】
また、本実施形態に係る測定装置１００は、測定試験に応じて、測定モジュールＭを適宜組み合わせて実装することを可能にする。
【００６８】
また、本実施形態に係る測定装置１００は、ＤＵＴ２００から出力される被測定信号に対して誤り率測定や品質評価を実行することができる。
【符号の説明】
【００６９】
１０  画面分割表示装置
１１  測定部
１２  表示部
１３  制御部
１４  操作部
１５  ジッタ変調源
１６  パルスパターン発生器
１７  誤り検出器
１８  シンセサイザ
２０  表示画面
２１  操作画面
２２  スロットキー
２４  測定開始ボタン
２５  測定停止ボタン
２６  分割領域選択ウィンドウ
４１  信号発生器
４２  シグナルアナライザ
１００  測定装置
１１０  誤り検出装置
１２０  無線端末測定装置
２００  ＤＵＴ
Ｍ，Ｍａ〜Ｍｄ  測定モジュール
ＳＬ１〜ＳＬｎ  スロット
【図１】
2018128814.tif 000003
【図２】
2018128814.tif 000004
【図３】
2018128814.tif 000005
【図４】
2018128814.tif 000006
【図５】
2018128814.tif 000007
【図６】
2018128814.tif 000008
【図７】
2018128814.tif 000009
【図８】
2018128814.tif 000010